(57)【要約】【課題】本発明は、互いに通信するＮｏｄｅＢまたはＵＥ（User Equipment）の方法及び装置を提供するためのものである。【解決手段】本発明は、ＮｏｄｅＢはＰＤＣＣＨ（Physical Downlink Control Channel）を介して転送し、ＵＥはＰＤＣＣＨを介して受信する。ＰＤＣＣＨ候補に対応するＣＣＥ（Control Channel Element）は搬送波インデックスであるｎCIに基づいて得られる。【選択図】図３
2014132754.tif 000002
【特許請求の範囲】
【請求項１】
基地局（ＮｏｄｅＢ）がＴＴＩ（Transmission Time Interval）ｋの間多数の搬送波のうちの第１搬送波で１つ以上のＰＤＣＣＨ（Physical Downlink Control Channel）をＵＥ（User Equipment）に転送する方法で、かつ各々のＰＤＣＣＨがＬ個の連続するＣＣＥ（Control Channel Element）の集合を含み、
【数１】
2014132754.tif 000039
個のＰＲＢ（Physical Resource Block）のセットｐからの少なくとも１つのＰＲＢで転送され、多数の搬送波のうちの第２搬送波でのＰＤＳＣＨ（Physical Downlink Shared Channel）受信とＰＵＳＣＨ（Physical Uplink SharedChannel）転送のうちの１つをＵＥにスケジューリングし、ここで、Ｃが搬送波の数を表し、第１搬送波と第２搬送波とが同一な搬送波のものと相異する搬送波のもののうちの１つである方法であって、
【数２】
2014132754.tif 000040
第２搬送波でのＰＤＳＣＨ受信とＰＵＳＣＨ転送のうちの１つをスケジューリングするＰＤＣＣＨをＵＥに転送するステップと、
を含むことを特徴とする、方法。
【請求項２】
【数３】
2014132754.tif 000041
請求項１に記載の方法。
【請求項３】
【数４】
2014132754.tif 000042
請求項２に記載の方法。
【請求項４】
【数５】
2014132754.tif 000043
多数の搬送波のうちの１つに対する各々のＰＤＣＣＨ候補の位置を相異するＰＲＢにあるようにすることを特徴とする、請求項２に記載の方法。
【請求項５】
【数６】
2014132754.tif 000044
そして多数の搬送波の各々に対して、多数の搬送波のうちの１つに対する各々のＰＤＣＣＨ候補の位置を多数の搬送波のうちの他の搬送波に対する各々のＰＤＣＣＨ候補の位置とは相異するＰＲＢにあるようにすることを特徴とする、請求項２に記載の方法。
【請求項６】
ＰＤＣＣＨはＣＩＦ（Carrier Indicator Field）を含むＤＣＩフォーマットを伝達し、
各々のＰＤＣＣＨ位置が多数の搬送波のうちの他の搬送波でのＰＤＳＣＨ受信とＰＵＳＣＨ転送のうちの１つをスケジューリングする候補ＰＤＣＣＨ位置と少なくとも部分的に重畳すれば、ＣＩＦがＰＤＳＣＨ受信とＰＵＳＣＨ転送のうちの１つの第２搬送波を指示するＣＩＦ値を有し、でなければ、ＣＩＦ値が固定値であることを特徴とする、請求項１に記載の方法。
【請求項７】
固定値は全て０の値（all zeroes）であり、ＵＥはＣＩＦ値が全て０の値であることをＵＥが予想するにもＤＣＩフォーマットのＣＩＦ値が全て０の値でない場合にＰＤＳＣＨ受信とＰＵＳＣＨ転送のうちの１つを中止することを特徴とする、請求項６に記載の方法。
【請求項８】
ＵＥ（User Equipment）がＴＴＩ（Transmission Time Interval）ｋの間、多数の搬送波のうちの第１搬送波で基地局（ＮｏｄｅＢ）から転送された１つ以上のＰＤＣＣＨ（Physical Downlink Control Channel）を受信する方法で、かつ各々のＰＤＣＣＨがＬ個の連続するＣＣＥ（Control Channel Element）の集合を含み、
【数７】
2014132754.tif 000045
個のＰＲＢ（Physical Resource Block）のセットｐからの少なくとも１つのＰＲＢで受信され、多数の搬送波のうちの第２搬送波でのＰＤＳＣＨ（Physical Downlink Shared Channel）受信とＰＵＳＣＨ（Physical Uplink Shared Channel）転送のうちの１つをＵＥにスケジューリングし、ここで、Ｃが搬送波の数を表し、第１搬送波と第２搬送波とが同一な搬送波のものと相異する搬送波のもののうちの１つである方法であって、
【数８】
2014132754.tif 000046
第２搬送波でのＰＤＳＣＨ受信とＰＵＳＣＨ転送のうちの１つをスケジューリングするＰＤＣＣＨを検出するステップと、
を含むことを特徴とする、方法。
【請求項９】
【数９】
2014132754.tif 000047
請求項８に記載の方法。
【請求項１０】
【数１０】
2014132754.tif 000048
請求項９に記載の方法。
【請求項１１】
【数１１】
2014132754.tif 000049
そして各々の搬送波に対し、多数の搬送波のうちの１つに対する各々のＰＤＣＣＨ候補の位置を相異するＰＲＢにあるようにすることを特徴とする、請求項９に記載の方法。
【請求項１２】
【数１２】
2014132754.tif 000050
そして多数の搬送波の各々に対し、多数の搬送波のうちの１つに対する各々のＰＤＣＣＨ候補の位置を多数の搬送波のうちの他の搬送波に対する各々のＰＤＣＣＨ候補の位置とは相異するＰＲＢにあるようにすることを特徴とする、請求項９に記載の方法。
【請求項１３】
ＰＤＣＣＨはＣＩＦ（Carrier Indicator Field）を含むＤＣＩフォーマットを伝達し、
各々のＰＤＣＣＨ位置が多数の搬送波のうちの他の搬送波でのＰＤＳＣＨ受信とＰＵＳＣＨ転送のうちの１つをスケジューリングする候補ＰＤＣＣＨ位置と少なくとも部分的に重畳すれば、ＣＩＦがＰＤＳＣＨ受信とＰＵＳＣＨ転送のうちの１つの第２搬送波を指示するＣＩＦ値を有し、でなければ、ＣＩＦ値が固定値であることを特徴とする、請求項８に記載の方法。
【請求項１４】
固定値は全て０の値（all zeroes）であり、ＵＥはＣＩＦ値が全て０の値であることを予想するにもＤＣＩフォーマットのＣＩＦ値が全て０の値でない場合にＰＤＳＣＨ受信とＰＵＳＣＨ転送のうちの１つを中止することを特徴とする、請求項１３に記載の方法。
【請求項１５】
ＴＴＩ（Transmission Time Interval）ｋの間、多数の搬送波のうちの第１搬送波で１つ以上のＰＤＣＣＨ（Physical Downlink Control Channel）をＵＥ（User Equipment）に転送するように構成された基地局（ＮｏｄｅＢ）装置で、かつ、各々のＰＤＣＣＨがＬ個の連続するＣＣＥ（Control Channel Element）の集合を含み、
【数１３】
2014132754.tif 000051
個のＰＲＢ（Physical Resource Block）のセットｐからの少なくとも１つのＰＲＢで転送され、多数の搬送波のうちの第２搬送波でのＰＤＳＣＨ（Physical Downlink Shared Channel）受信とＰＵＳＣＨ（Physical Uplink Shared Channel）転送のうちの１つをＵＥにスケジューリングし、ここで、Ｃが搬送波の数を表し、第１搬送波と第２搬送波とが同一な搬送波のものと相異する搬送波のもののうちの１つである装置であって、
【数１４】
2014132754.tif 000052
多数の搬送波のうちの１つでのＰＤＳＣＨ受信とＰＵＳＣＨ転送のうちの１つをスケジューリングするＰＤＣＣＨをＵＥに転送するように構成された送信機を含むことを特徴とする、装置。
【請求項１６】
【数１５】
2014132754.tif 000053
請求項１５に記載の装置。
【請求項１７】
【数１６】
2014132754.tif 000054
請求項１６に記載の装置。
【請求項１８】
【数１７】
2014132754.tif 000055
そして各々の搬送波に対し、多数の搬送波のうちの１つに対する各々のＰＤＣＣＨ候補の位置が相異するＰＲＢにあることを特徴とする、請求項１６に記載の装置。
【請求項１９】
【数１８】
2014132754.tif 000056
そして多数の搬送波の各々に対し、多数の搬送波のうちの１つに対する各々のＰＤＣＣＨ候補の位置が多数の搬送波のうちの他の搬送波に対する各々のＰＤＣＣＨ候補の位置とは相異するＰＲＢにあることを特徴とする、請求項１６に記載の装置。
【請求項２０】
ＰＤＣＣＨはＣＩＦ（Carrier Indicator Field）を含むＤＣＩフォーマットを伝達し、
各々のＰＤＣＣＨ位置が多数の搬送波のうちの他の搬送波でのＰＤＳＣＨ受信とＰＵＳＣＨ転送のうちの１つをスケジューリングする候補ＰＤＣＣＨ位置と少なくとも部分的に重畳すれば、ＣＩＦがＰＤＳＣＨ受信とＰＵＳＣＨ転送のうちの１つの第２搬送波を指示するＣＩＦ値を有し、でなければ、ＣＩＦ値が固定値であることを特徴とする、請求項１５に記載の装置。
【請求項２１】
ＴＴＩ（Transmission Time Interval）ｋの間、多数の搬送波のうちの第１搬送波で基地局（ＮｏｄｅＢ）から転送された１つ以上のＰＤＣＣＨ（Physical Downlink Control Channel）を受信するＵＥ（User Equipment）装置で、かつ、各々のＰＤＣＣＨがＬ個の連続するＣＣＥ（Control Channel Element）の集合を含み、
【数１９】
2014132754.tif 000057
個のＰＲＢ（Physical Resource Block）のセットｐからの少なくとも１つのＰＲＢで受信され、多数の搬送波のうちの第２搬送波でのＰＤＳＣＨ（Physical Downlink Shared Channel）受信とＰＵＳＣＨ（Physical Uplink Shared Channel）転送のうちの１つをＵＥにスケジューリングし、ここで、Ｃが搬送波の数を表し、第１搬送波と第２搬送波とが同一な搬送波のものと相異する搬送波のもののうちの１つである装置であって、
【数２０】
2014132754.tif 000058
多数の搬送波のうちの１つでのＰＤＳＣＨ受信とＰＵＳＣＨ転送のうちの１つをスケジューリングするＰＤＣＣＨを検出するように構成された検出器と、
を含むことを特徴とする、装置。
【請求項２２】
【数２１】
2014132754.tif 000059
請求項２１に記載の装置。
【請求項２３】
【数２２】
2014132754.tif 000060
請求項２２に記載の装置。
【請求項２４】
【数２３】
2014132754.tif 000061
そして各々の搬送波に対し、多数の搬送波のうちの１つに対する各々のＰＤＣＣＨ候補の位置が相異するＰＲＢにあることを特徴とする、請求項２２に記載の装置。
【請求項２５】
【数２４】
2014132754.tif 000062
そして多数の搬送波の各々に対し、多数の搬送波のうちの１つに対する各々のＰＤＣＣＨ候補の位置が多数の搬送波のうちの他の搬送波に対する各々のＰＤＣＣＨ候補の位置とは相異するＰＲＢにあることを特徴とする、請求項２２に記載の装置。
【請求項２６】
ＰＤＣＣＨはＣＩＦ（Carrier Indicator Field）を含むＤＣＩフォーマットを伝達し、
各々のＰＤＣＣＨ位置が多数の搬送波のうちの他の搬送波でのＰＤＳＣＨ受信とＰＵＳＣＨ転送のうちの１つをスケジューリングする候補ＰＤＣＣＨ位置と少なくとも部分的に重畳すれば、ＣＩＦがＰＤＳＣＨ受信とＰＵＳＣＨ転送のうちの１つの第２搬送波を指示するＣＩＦ値を有し、でなければ、ＣＩＦ値が固定値であることを特徴とする、請求項２１に記載の装置。
【請求項２７】
固定値は全て０の値（all zeroes）であり、上記の装置はＣＩＦ値が全て０の値であることを予想するにもＤＣＩフォーマットのＣＩＦ値が全て０の値でない場合にＰＤＳＣＨ受信とＰＵＳＣＨ転送のうちの１つを中止することを特徴とする、請求項２６に記載の装置。
【請求項２８】
基地局（ＮｏｄｅＢ）がクロスキャリアスケジューリング（cross-carrier scheduling）のためのＤＣＣＨ（Downlink Control CHannel）を割り当てる方法であって、
多数の搬送波に対する搬送波指示子
【数２５】
2014132754.tif 000063
に基づいてＤＣＣＨ−ＰＲＢ（Physcial Resource Block）セットに対する検索空間のＤＣＣＨ候補に対応するＣＣＥ（Control Channel Element）に対する位置を決定するステップと、
前記決定の結果に基づいて多数の搬送波のうちの特定の搬送波を通じてＤＣＣＨをＵＥ（User Equipment）に転送するステップと、
を含むことを特徴とする、割当方法。
【請求項２９】
【数２６】
2014132754.tif 000064
請求項２８に記載の割当方法。
【請求項３０】
【数２７】
2014132754.tif 000065
請求項２８に記載の割当方法。
【請求項３１】
【数２８】
2014132754.tif 000066
請求項２９または３０に記載の割当方法。
【請求項３２】
ＵＥ（User Equipment）がクロスキャリアスケジューリング（cross-carrier scheduling）のためのＤＣＣＨ（Downlink Control CHannel）をモニターリングする方法であって、
基地局（ＮｏｄｅＢ）から多数の搬送波のうちの特定の搬送波を通じてＤＣＣＨを受信するステップと、
多数の搬送波に対する搬送波指示子
【数２９】
2014132754.tif 000067
に基づいてＤＣＣＨ−ＰＲＢ（Physcial Resource Block）セットに対する検索空間のＤＣＣＨ候補に対応するＣＣＥ（Control Channel Element）に対する位置を決定するステップと、
前記決定の結果に基づいてＤＣＣＨをモニターリングするステップと、
を含むことを特徴とする、モニターリング方法。
【請求項３３】
【数３０】
2014132754.tif 000068
請求項３２に記載のモニターリング方法。
【請求項３４】
【数３１】
2014132754.tif 000069
請求項３２に記載のモニターリング方法。
【請求項３５】
【数３２】
2014132754.tif 000070
請求項３３または３４に記載のモニターリング方法。
【請求項３６】
クロスキャリアスケジューリング（cross-carrier scheduling）のためのＤＣＣＨ（Downlink Control CHannel）を割り当てるように構成される基地局（ＮｏｄｅＢ）装置であって、
多数の搬送波に対する搬送波指示子
【数３３】
2014132754.tif 000071
に基づいてＤＣＣＨ−ＰＲＢ（Physcial Resource Block）セットに対する検索空間のＤＣＣＨ候補に対応するＣＣＥ（Control Channel Element）に対する位置を決定するように構成されたプロセッサと、
前記決定の結果に基づいて多数の搬送波のうちの特定の搬送波を通じてＤＣＣＨをＵＥ（User Equipment）に転送するように構成された送信機と、
を含むことを特徴とする、基地局装置。
【請求項３７】
【数３４】
2014132754.tif 000072
請求項３６に記載の基地局装置。
【請求項３８】
【数３５】
2014132754.tif 000073
請求項３６に記載の基地局装置。
【請求項３９】
【数３６】
2014132754.tif 000074
請求項３７または３８に記載の基地局装置。
【請求項４０】
クロスキャリアスケジューリング（cross-carrier scheduling）のためのＤＣＣＨ（Downlink Control CHannel）をモニターリングするように構成されるＵＥ（User Equipment）であって、
基地局（ＮｏｄｅＢ）から多数の搬送波のうちの特定の搬送波を通じてＤＣＣＨを受信するように構成された送受信機と、
多数の搬送波に対する搬送波指示子
【数３７】
2014132754.tif 000075
に基づいてＤＣＣＨ−ＰＲＢ（Physcial Resource Block）セットに対する検索空間のＤＣＣＨ候補に対応するＣＣＥ（Control Channel Element）に対する位置を決定し、前記決定の結果に基づいてＤＣＣＨをモニターリングするように構成されたプロセッサと、
を含むことを特徴とする、ＵＥ。
【請求項４１】
【数３８】
2014132754.tif 000076
請求項４０に記載のＵＥ。
【請求項４２】
【数３９】
2014132754.tif 000077
請求項４０に記載のＵＥ。
【請求項４３】
【数４０】
2014132754.tif 000078
請求項４１または４２に記載のＵＥ。
【発明の詳細な説明】
【技術分野】
【０００１】
関連出願の前後参照及び優先権主張
本出願は２０１３年１月２３日付で出願された“クロスキャリアスケジューリングのための物理ダウンリンク制御チャンネルの検索方法（SEARCH PROCESS FOR PHYSICAL DOWNLINK CONTROL CHANNELS FOR CROSS-CARRIER SCHEDULING）”という名称の米国特許仮出願第６１／７５４，８２３号及び２０１３年１月３日付で出願された“クロスキャリアスケジューリングのための物理ダウンリンク制御チャンネルの検索方法（SEARCH PROCESS FOR PHYSICAL DOWNLINK CONTROL CHANNELS FOR CROSS-CARRIER SCHEDULING）”という名称の米国特許仮出願第６１／７４８，６９４号の優先権を主張する。本特許文献の内容は参照を通じて本明細書に併合される。
【０００２】
本発明は一般的に無線通信システムに関し、具体的には物理ダウンリンク制御チャンネル（ＰＤＣＣＨ；physical downlink control channel）の送受信に関する。
【背景技術】
【０００３】
通信システムは、基地局（ＢＳ）またはＮｏｄｅＢのような転送ポイント（transmission point）からユーザ端末（ＵＥ；User Equipment）に信号を伝達するダウンリンク（ＤＬ；Downlink）とＵＥからノードＢのような受信ポイント（reception point）に信号を伝達するアップリンク（ＵＬ；Uplink）とを含む。しばしば端末または移動局（mobile station）とも称されるＵＥは、固定または移動することができ、携帯電話、個人用コンピュータ装置などでありうる。一般的に、固定局（fixed station）であるＮｏｄｅＢはアクセスポイント（access point）またはそれに相当する他の用語と称されることもできる。
【０００４】
ＤＬ信号は、情報の内容を含んでいるデータ信号、制御信号、及びパイロット信号（pilot signal）とも知られた基準信号（ＲＳ；Reference Signal）を含む。ＮｏｄｅＢは各々のＰＤＳＣＨ（Physical Downlink Shared Channel）を介してデータ情報をＵＥに伝達し、各々のＰＤＣＣＨ（Physical Downlink Control Channel）を介して制御情報をＵＥに伝達する。また、ＵＬ信号もデータ信号、制御信号、及びＲＳを含む。ＵＥは各々のＰＵＳＣＨ（Physical Uplink Shared Channel）を介してデータ情報をＮｏｄｅＢに伝達し、各々のＰＵＣＣＨ（Physical Uplink Control Channel）を介して制御情報をＮｏｄｅＢに伝達する。データ情報を転送するＵＥがＰＵＳＣＨを介して制御情報を伝達することもできる。
【先行技術文献】
【特許文献】
【０００５】
【特許文献１】米国特許仮出願第６１／７５４，８２３号
【特許文献２】米国特許仮出願第６１／７４８，６９４号
【発明の概要】
【発明が解決しようとする課題】
【０００６】
本発明の目的は、物理ダウンリンク制御チャンネルを送受信する方法及び装置を提供することにある。
【課題を解決するための手段】
【０００７】
ＵＥ（User Equipment）と通信するＮｏｄｅＢの方法が提供される。ＮｏｄｅＢは、データ転送をスケジューリングする制御情報を各々のＰＤＣＣＨ（Physical Downlink Control Channel）を介してＵＥに転送する。ＰＤＣＣＨは、指数ｎＣＩを有する各々の搬送波に対するＰＤＣＣＨ候補ｍから固有に決定される物理資源のうちの多数のＣＣＥ（Control Channel Element）で転送される。
【０００８】
ＵＥ（User Equipment）と通信するＮｏｄｅＢが提供される。ＮｏｄｅＢは、ＰＤＣＣＨ（Physical Downlink Control Channel）を転送するように構成される１つ以上のプロセッサを含む。ＰＤＣＣＨは、指数ｎＣＩを有する各々の搬送波に対するＰＤＣＣＨ候補ｍから固有に決定される物理資源のうちの多数のＣＣＥ（Control Channel Element）で転送される。
【０００９】
ＮｏｄｅＢと通信するＵＥ（User Equipment）が提供される。ＵＥは、ＰＤＣＣＨ（Physical Downlink Control Channel）を受信するように構成される１つ以上のプロセッサを含む。ＰＤＣＣＨは、指数ｎＣＩを有する各々の搬送波に対するＰＤＣＣＨ候補ｍから固有に決定される物理資源のうちの多数のＣＣＥ（Control Channel Element）で転送される。
【００１０】
以下の発明の詳細な説明を始める前に、本特許明細書の全般に亘って使われる特定の単語及び文句の定義を提示することが有利でありうる。“含む（include及びcomprise）”という用語は勿論、その派生語（derivative）らは制限無しで含むことを意味し、“または（or）”という用語は“及び／又は（and/or）”の意味を包括するものであり、“関連した（associated with）”及び、“それと関連した（associated therewith）”という文句は勿論、その派生文句らは、“含む（include）”、“含まれる（be included within）”、“相互連結する（interconnect with）”、“含んでいる（contain）”、“含まれている（be contained within）”、“連結する（connect to or with）”、“結合する（couple to or with）”、“通信可能である（be communicable with）”、“協力する（cooperate with）”、“挿入する（interleave）”、“並べて置く（juxapose）”、“近接する（be proximate to）”、“接境する（be bound to or with）”、“有する（have）”、“特性を有する（have a property of）”などを意図することができ、“制御器（controller）”という用語は１つ以上の動作を制御する任意の装置、システム、またはその部品を意味するところ、そのような装置は、ハードウェア、ファームウエア、ソフトウェア、またはそれらのうちの少なくとも２つのどの組合により具現できる。ある特定の制御器と関連した機能性はローカルでも遠隔でも集中または分散できることに留意しなければならない。特定の単語及び文句に関する定義は本特許明細書の全体に亘って規定されるものであって、当該技術分野の通常の知識を有する者であれば、たとえ大多数の場合ではなくても多くの場合においてそのような定義がそのように定義された単語及び文句の以前の使用には勿論、今後の使用にも適用できることを知るべきである。
【図面の簡単な説明】
【００１１】
本発明とその利点をより完全に理解するために、これから添付図面と関連してなされる以後の説明を参照することにするところ、添付図面で同一な図面符号は同一な部分を表す。そのような添付図面のうち、
【図１】本発明の実施形態に従う無線ネットワークを示す図である。
【図２Ａ】本発明の実施形態に従う無線転送経路のハイレベルダイアグラム（high-level diagram）を示す図である。
【図２Ｂ】本発明の実施形態に従う無線受信経路のハイレベルダイアグラムを示す図である。
【図３】本発明の実施形態に従うユーザ端末（ＵＥ）を示す図である。
【図４】本発明の実施形態に従うＤＣＩフォーマットに対するエンコーディング過程を示す図である。
【図５】本発明の実施形態に従うＤＣＩフォーマットに対するデコーディング過程を示す図である。
【図６】本発明の実施形態に従うＤＬサブフレーム（subframe）に亘ってＰＤＣＣＨとＰＤＳＣＨに対する転送を多重化（multiplexing）することを示す図である。
【図７】本発明の実施形態に従うＲＥＧをＰＲＢのＲＥにマッピング（mapping）することを示す図である。
【図８】本発明の実施形態に従う各々の転送が同一なセットのＰＲＢにある場合にＰＤＣＣＨ候補を相異する活性搬送波（active carrier）に割り当てることを示す図である。
【図９】本発明の実施形態に従う各々の転送が相異するＰＤＣＣＨセットにある場合にＰＤＣＣＨ候補を相異する活性搬送波に割り当てることを示す図である。
【図１０】本発明の実施形態に従うＤＭＲＳ ＡＰを第１搬送波に対するスケジューリング割当（scheduling assignment）を提供する第１のＰＤＣＣＨ転送及び第２搬送波に対するスケジューリング割当を提供する第２のＰＤＣＣＨ転送に割り当てることを示す図である。
【発明を実施するための形態】
【００１２】
以下に説明する図１から図１０及び本発明の原理を説明することに使われるさまざまな実施形態は単に例示のためのものに過ぎないものであり、決して本発明の範囲を限定するものと解釈されてはならない。当該技術分野の当業者であれば、本発明の原理が任意の適切な構造のセルラーシステムで具現できることを理解することができる。
【００１３】
以下の文献及び標準説明書は、これで本明細書に完全に陳述されたものと同様に、本発明に併合される：3GPP TS 36.211 v10.1.0, “E-UTRA, Physical Channels and Modulation” (REF 1); 3GPP TS 36.212 v10.1.0, “E-UTRA, Multiplexing and Channel Coding” (REF 2); 3GPP TS 36.213 v10.1.0, “E-UTRA, Physical Layer Procedures” (REF 3);及び3GPP TS 36.331 v11.1.0, “E-UTRA, Radio Resource Control (RRC) Protocol Specification.” (REF 4).
【００１４】
図１は、本発明の一実施形態に従う無線ネットワーク１００を図示している。図１に図示された無線ネットワーク１００の実施形態は単に例示のためのものに過ぎない。本発明の範囲を逸脱することなく、無線ネットワーク１００の他の実施形態が使われることもできる。
【００１５】
無線ネットワーク１００は、ＮｏｄｅＢ １０１、ＮｏｄｅＢ １０２、及びＮｏｄｅＢ １０３を含む。ＮｏｄｅＢ １０１は、ＮｏｄｅＢ １０２及びＮｏｄｅＢ １０３と通信する。ＮｏｄｅＢ １０１は、インターネット、私設（proprietary）ＩＰ（Internet Protocol）ネットワーク、または他のデータネットワークのようなＩＰネットワーク１３０ともまた通信する。
【００１６】
ネットワークタイプに依存して、“ＴＰ（transmission point）”、“ＢＳ（base station）”、“ＡＰ（access point）”、または“eＮｏｄｅＢ（ｅＮＢ）”のような他のよく知られた用語を“ＮｏｄｅＢ”の代わりに使用することもできる。便宜上、本明細書では遠隔端末に無線アクセスを提供するネットワークインフラコンポーネント（network infrastructure component）を称することにＮｏｄｅＢという用語を使用することにする。
【００１７】
便宜上、本明細書ではＮｏｄｅＢに無線でアクセスする任意の遠隔無線端末を指示するが、“ユーザ端末”または“ＵＥ”という用語を使用するところ、これはＵＥが移動装置（例えば、携帯電話）でも、でなければＵＥを通常の通り固定装置（例えば、デスクトップＰＣ、自販機など）と見なしでも関わらない。他のシステムでは、“ＭＳ（mobile station）”、“ＳＳ（subscriber station）”、“ＲＴ（remote terminal）”、“ＷＴ（wireless terminal）”のような他のよく知られた用語を“ユーザ端末”の代りに使用することもできる。
【００１８】
ＮｏｄｅＢ １０２は、ＮｏｄｅＢ １０２のカバレッジ領域（coverage area）１２０の内にある第１多数のＵＥにネットワーク１３０に対する無線広帯域アクセスを提供する。第１多数のＵＥは中小企業に位置できるＵＥ １１１、大企業に位置できるＵＥ １１２、ワイファイホットスポット（WiFi hotspot）に位置できるＵＥ １１３、第１住宅に位置できるＵＥ １１４、第２住宅に位置できるＵＥ １１５、及び携帯電話、無線ラップトップ、無線ＰＤＡなどのような移動装置でありうるＵＥ １１６を含む。ＵＥ １１１−１１６は、たとえそれに限定されるものではないが、移動電話、移動ＰＤＡ、及び任意のＭＳのような任意の無線通信装置でありうる。
【００１９】
ＮｏｄｅＢ １０３は、ＮｏｄｅＢ １０３のカバレッジ領域内に第２多数のＵＥに無線広帯域アクセスを提供する。第２多数のＵＥはＵＥ １１５及びＵＥ １１６を含む。一部の実施形態では、ＮｏｄｅＢ １０１−１０３のうちの１つ以上が本発明の実施形態で説明されるようなＰＤＣＣＨの制御チャンネル要素を使用するための技法をはじめとするＬＴＥまたはＬＴＥ−Ａ技法を使用して互いに通信し、ＵＥ １１１−１１６と通信することができる。
【００２０】
点線はカバレッジ領域１２０、１２５の概略的な範囲を表すが、これらは単に例示と説明の目的に概略的な円形として図示されている。基地局と関連したカバレッジ領域、例えばカバレッジ領域１２０、１２５は、基地局の構成と自然及び人工障害物などと関連した無線環境の変化に依存して不規則な形状をはじめとする他の形状を有することもできることを明確に知らなければならない。
【００２１】
図１は無線ネットワーク１００の一例を図示しているが、図１に対して多様な変更がなされることができる。例えば、有線ネットワークのような他のタイプのデータネットワークが無線ネットワーク１００を取り替えることができる。有線ネットワークでは、ネットワーク端末がＮｏｄｅＢ １０１−１０３とＵＥ １１１−１１６を取り替えることができる。有線連結が図１に図示された無線連結を取り替えることができる。
【００２２】
図２Ａは、無線転送経路（wireless transmit path）のハイレベルダイアグラム（high-level diagram）である。図２Ｂは、無線受信経路（wireless reception path）のハイレベルダイアグラムである。図２Ａ及び図２Ｂで、転送経路２００は例えばＮｏｄｅＢ １０２で具現されることができ、受信経路２５０は例えば図１のＵＥ １１６のようなＵＥで具現できる。しかしながら、受信経路２５０はＮｏｄｅＢ（例えば、図１のＮｏｄｅＢ １０２）で具現されることもでき、転送経路２００はＵＥで具現されることもできることを理解することができる。特定の実施形態では、転送経路２００と受信経路２５０が本発明の実施形態で説明されるようなビームフォーミングされた（beamformed）セルラーシステムでのアップリンク制御チャンネル多重化方法を遂行するように構成される。各々のｅＮＢ １０１−１０３は、本発明の実施形態で説明されるようなビームフォーミングされたセルラーシステムでのアップリンク制御チャンネル多重化方法を遂行するように構成されたプロセッサまたは処理回路を含む。
【００２３】
転送経路２００は、チャンネルコーディング及び変調ブロック２０５、直列−並列（Ｓ−ｔｏ−Ｐ）ブロック２１０、ＮサイズＩＦＦＴ（Inverse Fast Fourier Transform）ブロック２１５、並列−直列（Ｐ−ｔｏ−Ｓ）ブロック２２０、循環前置付加（add cyclic prefix）ブロック２２５、及び周波数上向き変換器（ＵＣ；up-converter）２３０を含む。受信経路２５０は、周波数下向き変換器（ＤＣ；down-converter）２５０、循環前置除去（remove cyclic prefix）ブロック２６０、直列−並列（Ｓ−ｔｏ−Ｐ）ブロック２６５、ＮサイズＦＦＴ（Fast Fourier Transform）ブロック２７０、並列−直列（Ｐ−ｔｏ−Ｓ）ブロック２７５、及びチャンネルデコーディング及び復調ブロック２８０を含む。
【００２４】
図２Ａ及び図２Ｂのコンポーネントのうちの少なくとも一部はソフトウェアで具現できる一方、他のコンポーネントは構成可能なハードウェア（configurable hardware）（例えば、１つ以上のプロセッサ）またはソフトウェアと構成可能なハードウェアの混合物により具現できる。特に、本明細書で説明されるＦＦＴブロック及びＩＦＦＴブロックは構成可能なソフトウェアアルゴリズムとして具現されることができ、ここでＮサイズの値は具現によって変更できることに留意しなければならない。
【００２５】
また、本発明は高速フーリエ変換と逆高速フーリエ変換を具現する実施形態を指向しているが、それは単に例示のためのものに過ぎないものであり、本発明の範囲を限定することと解釈されてはならない。本発明の代案的な実施形態では、高速フーリエ変換関数と逆高速フーリエ変換関数を離散フーリエ変換（ＤＦＴ；Discrete Fourier Transform）関数と逆離散フーリエ変換（ＩＤＦＴ）関数に各々容易に取り替えることもできることを理解することができる。ＤＦＴとＩＤＦＴ関数に対しては、Ｎ変数の値が任意の整数（即ち、１、２、３、４など）でありうる一方、ＦＦＴとＩＦＦＴ関数に対してはＮ変数の値が２の累乗（power）である任意の整数（即ち、１、２、４、８、１６など）でありうることを理解することができる。
【００２６】
転送経路２００において、チャンネルコーディング及び変調ブロック２０５は情報ビットのセットを受信し、コーディング（例えば、ＬＤＰＣコーディング）を適用し、入力ビットを変調して（例えば、ＯＰＳＫ（Quadrature Phase Shift Keying）またはＱＡＭ（Quadrature Amplitude Modulation）を遂行して）周波数領域変調シンボルのシーケンス（sequence）を生成する。直列−並列ブロック２１０は、直列変調シンボルを並列データに変換して（即ち、逆多重化して）Ｎ個の並列シンボルストリームを生成するが、ここで、ＮはＮｏｄｅＢ １０２とＵＥ １１６で使われるＩＦＦＴ／ＦＦＴサイズである。次に、ＮサイズＩＦＦＴブロック２１５はＮ個の並列シンボルストリームに対するＩＦＦＴ演算を遂行して時間領域出力信号を生成する。並列−直列ブロック２２０は、ＮサイズＩＦＦＴブロック２１５からの並列時間領域出力シンボルを変換して（即ち、多重化して）直列時間領域信号を生成する。次に、循環前置付加ブロック２２５は時間領域信号に循環前置を挿入する。最終的に、周波数上向き変換器２３０は無線チャンネルを介した転送のために循環前置付加ブロック２２５の出力をＲＦ周波数に変調する（即ち、周波数上向き変換する）。ＲＦ周波数に変換する前に、信号を基底帯域（baseband）でフィルタリングすることもできる。
【００２７】
転送されたＲＦ信号は、無線チャンネルを通過した後にＵＥ １１６に到達し、ＮｏｄｅＢ １０２での動作と逆順の動作が遂行される。周波数下向き変換器２５５は受信信号を基底帯域周波数に周波数下向き変換し、循環前置除去ブロック２６０は循環前置を除去して直列時間領域基底帯域信号を生成する。直列−並列ブロック２６５は、時間領域基底帯域信号を並列時間領域信号に変換する。次に、ＮサイズＦＦＴブロック２７０は、ＦＦＴアルゴリズムを遂行してＮ個の並列周波数領域信号を生成する。並列−直列ブロック２７５は、並列周波数領域信号を変調データシンボルのシーケンスに変換する。チャンネルデコーディング及び復調ブロック２８０は、変調シンボルを復調した後、デコーディングして元の入力データストリームを復元する。
【００２８】
各々のＮｏｄｅＢ １０１−１０３は、ダウンリンクでＵＥ １１１−１１６に転送することと類似な転送経路を具現することができ、アップリンクでＵＥ １１１−１１６から受信することと類似な受信経路を具現することができる。同様に、各々のＵＥ １１１−１１６はアップリンクでＮｏｄｅＢ １０１−１０３に転送する構造と相応する転送経路を具現することができ、ダウンリンクでＮｏｄｅＢ １０１−１０３から受信する構造と相応する受信経路を具現することができる。各々のｅＮＢ １０１−１０３は１つ以上のＵＥ １１１−１１６に資源を割り当てるように構成された処理回路を含むことができる。例えば、ｅＮＢ １０２はＵＥ １０６に固有の搬送波指示子（unique carrier indicator）を割り当てるように構成された割当処理回路を含むことができる。
【００２９】
図３は、本発明の実施形態に従うＵＥを図示している。ＵＥ １１６のような、図３に図示されたユーザ端末の実施形態は単に例示のためのものに過ぎない。本発明の範囲を逸脱することなく、無線加入者局の他の実施形態が使われることもできる。ＭＳ １１６が例として図示されているが、図３の説明はＵＥ １１１、ＵＥ １１２、ＵＥ １１３、ＵＥ １１４、及びＵＥ １１５のいずれも同一に適用できる。
【００３０】
ＵＥ １１６は、アンテナ３０５、ＲＦ（radio frequency）送受信機３１０、ＴＸ（transmit）処理回路３１５、マイクロフォン３２０、及びＲＸ（receive）処理回路３２５を含む。また、ＵＥ １１６は、スピーカー３３０、メインプロセッサ３４０、Ｉ／Ｏ（input/output）インターフェース（ＩＦ）３４５、キーパッド３５０、ディスプレイ３５５、及びメモリ３６０を含む。メモリ３６０は、基本ＯＳ（operating system）プログラム３６１及び多数のアプリケーション３６２をさらに含む。
【００３１】
ＲＦ（radio frequency）送受信機３１０は、無線ネットワーク１００のＮｏｄｅＢにより転送されたＲＦ入力信号をアンテナ３０５から受信する。ＲＦ送受信機３１０は、ＲＦ入力信号を周波数下向き変換してＩＦ（intermediate frequency）または基底帯域信号を生成する。ＩＦまたは基底帯域信号は、ＲＸ（receive）処理回路３２５に送られて、ＲＸ処理回路３２５は基底帯域またはＩＦ信号をフィルタリング、デコーディング、及び／またはディジタル化して基底帯域処理信号を生成する。ＲＸ処理回路３２５は、後続処理（例えば、ウェブブラウジング）のために基底帯域処理信号をスピーカー３３０（即ち、音声データ）またはメインプロセッサ３４０に転送する。
【００３２】
ＴＸ（transmit）処理回路３１５は、マイクロフォン３２０からアナログまたはディジタル音声データを受信したり、メインプロセッサ３４０から、または他の基底帯域出力データ（例えば、ウェブデータ、Ｅメール、対話形ビデオゲームデータ）を受信したりする。ＴＸ処理回路３１５は、基底帯域出力信号をエンコーディング、多重化、及び／またはディジタル化して基底帯域またはＩＦ処理信号を生成する。ＲＦ送受信機３１０は、ＴＸ処理回路３１５から出力される基底帯域またはＩＦ処理信号を受信する。ＲＦ送受信機３１０は、基底帯域またはＩＦ信号をＲＦ信号に周波数上向き変換し、ＲＦ信号はアンテナ３０５を介して転送される。
【００３３】
特定の実施形態では、メインプロセッサ３４０がマイクロプロセッサまたはマイクロコントローラである。メモリ３６０は、メインプロセッサ３４０と連結される。本発明の一部の実施形態では、メモリ３６０の一部がＲＡＭ（random access memory）を含み、メモリ３６０の他の一部がＲＯＭ（read-only memory）として動作するフラッシュメモリを含む。
【００３４】
メインプロセッサ３４０は、１つ以上のプロセッサからなることができ、無線加入者局１１６の全体的な動作を制御するためにメモリ３６０に格納されたＯＳ（operating system）プログラム３６１を実行する。但し、そのような動作において、メインプロセッサ３４０は、ＲＦ送受信機３１０、ＲＸ処理回路３２５、及びＴＸ処理回路３１５による順方向チャンネル信号の受信と逆方向チャンネル信号の転送をよく知られた原理に従って制御する。メインプロセッサ３４０は、１つ以上の資源を割り当てるように構成された処理回路を含む。例えば、メインプロセッサ３４０は固有搬送波指示子（unique carrier indicator）を割り当てるように構成された割当処理回路及びＣ個の搬送波のうちの１つでＰＵＳＣＨ転送のＰＤＳＣＨ受信をスケジューリングするＰＤＣＣＨを検出するように構成された検出処理回路を含むことができる。
【００３５】
メインプロセッサ３４０は、本発明の実施形態で説明されるようなビームフォーミングされた（beamformed）セルラーシステムでのアップリンク制御チャンネル多重化のための動作のような、メモリ３６０に常駐するプロセス及びプログラムを実行することができる。メインプロセッサ３４０は、実行プロセスが要求することによってデータをメモリ３６０の内に、またはメモリ３６０から外部に移動させることができる。一部の実施形態では、メインプロセッサ３４０がＰＤＣＣＨの制御チャンネル要素を獲得することをはじめとする、ＭＵ−ＭＩＭＯ通信のためのアプリケーションのような多数のアプリケーション３６２を実行するように構成される。メインプロセッサ３４０は、ＯＳプログラム３６１に基づいて、またはＢＳ １０２から受信された信号に応じて多数のアプリケーション３６２を動作させることができる。また、メインプロセッサ３４０はＩ／Ｏインターフェース３４５と連結される。Ｉ／Ｏインターフェース３４５は、ラップトップコンピュータ及びハンドヘルドコンピュータのような他の装置に連結できる能力を加入者局１１６に提供する。Ｉ／Ｏインターフェース３４５は、そのような附属装置とメインプロセッサ３４０との間の通信経路である。
【００３６】
また、メインプロセッサ３４０はキーパッド３５０及びディスプレイユニット３５５と連結される。加入者局１１６のオペレーター（operator）はキーパッド３５０を使用してデータを加入者局１１６に入力する。ディスプレイ３５５は、ウェブサイトからテキスト及び／または少なくとも限定されたグラフィックをレンダリングできる液晶ディスプレイでありうる。代案的な実施形態は他のタイプのディスプレイを使用することもできる。
【００３７】
ＤＣＩ（Downlink Control Information）は幾つかの目的を満たすためのものであって、各々のＰＤＣＣＨでＤＣＩフォーマットを通じて伝達される。例えば、ＤＣＩフォーマットはＰＤＳＣＨ受信に対するＤＬ ＳＡ（Scheduling Assignment）またはＰＵＳＣＨ転送に対するＵＬ ＳＡに該当できる。
【００３８】
図４は、本発明の実施形態に従うＤＣＩフォーマットに対するエンコーディング過程を図示している。図４に図示された実施形態は、単に例示のためのものに過ぎない。本発明の範囲を逸脱することがなく、他の実施形態が使われることもできる。
【００３９】
ＮｏｄｅＢ １０２のようなＮｏｄｅＢは、各々のＰＤＣＣＨで各々のＤＣＩフォーマットを別にコーディングして転送する。ＤＣＩフォーマットを転送しようとするＵＥ １１６のようなＵＥに対するＲＮＴＩ（Radio Network Temporary Identifier）は、特定のＤＣＩフォーマットをＵＥ １１６に送ろうとするということをＵＥ １１６が識別することができるようにするために、ＤＣＩフォーマットコードワード（codeword）のＣＲＣ（Cyclic Redundancy Check）をマスキングする。ＣＲＣ計算動作 ４２０を使用して（コーディングされていない）ＤＣＩフォーマットビット４１０のＣＲＣを計算し、次にＣＲＣとＲＮＴＩビット４４０との間のＸＯＲ（exclusive OR）演算 ４３０を使用してＣＲＣをマスキングする。ＸＯＲ演算 ４３０は、次に定義される：ＸＯＲ（０，０）=０、ＸＯＲ（０，１）=１、ＸＯＲ（１，０）=１、ＸＯＲ（１，１）＝０。ＣＲＣ添付動作 ４５０を使用してＤＣＩフォーマット情報ビットにマスキングされたＣＲＣビットを添付し、チャンネルコーディング動作 ４６０（例えば、畳み込み符号（convolutional code）を使用する動作）を使用してチャンネルコーディングを遂行し、続けて割り当てられた資源に適用されるレートマッチング（rate matching）動作 ４７０を遂行し、最終的にインターリービング及び変調動作 ４８０を遂行して出力制御信号 ４９０を転送する。本例では、ＣＲＣとＲＮＴＩ両方とも１６ビットを含む。
【００４０】
図５は、本発明の実施形態に従うＤＣＩフォーマットに対するデコーディング過程を図示している。図５に図示された実施形態は単に例示のためのものに過ぎない。本発明の範囲を逸脱することなく、他の実施形態が使われることもできる。
【００４１】
ＵＥ １１６のようなＵＥの受信機は、ＮｏｄｅＢ １０２のようなＮｏｄｅＢの送信機と逆順の動作を遂行してＵＥがＤＬサブフレームでＤＣＩフォーマット割当を有するか否かを判断する。動作 ５２０で、受信制御信号 ５１０を復調し、その結果として生成されたビットをデインターリービングし、動作 ５３０を通じてＮｏｄｅＢ １０２の送信機で適用されたレートマッチングを復元した後、動作 ５４０でデータをデコーディングする。データをデコーディングした後、ＣＲＣビット５５０を抽出してからＤＣＩフォーマット情報ビット５６０を獲得し、次に、ＵＥ １１６のＲＮＴＩ ５８０とのＸＯＲ演算 ５７０を適用してＣＲＣビット５５０をデマスキングする。最終的に、ＵＥ １１６がＣＲＣ検査 ５９０を遂行する。ＣＲＣ検査を通過すれば、ＵＥ １１６は受信制御信号２１０に対応するＤＣＩフォーマットが有効であると判断して信号受信または信号転送に対するパラメータを決定する。ＣＲＣ検査を通過できなければ、ＵＥ １１６は推定されたＤＣＩフォーマットを無視する。
【００４２】
本発明の実施形態は、ＤＬ信号転送にＯＦＤＭ（Orthogonal Frequency Division Multiplexing）が使われ、ＮｏｄｅＢがＤＬサブフレームというＤＬ ＴＴＩ（Transmission Time Interval）に亘って周波数領域でＰＤＳＣＨとＰＤＣＣＨを多重化すると仮定している。多重化単位は周波数領域で１つのＲＢ（Resource Block）を、そして時間領域で１つのＤＬサブフレームを含むＰＲＢ（Physical Resource Block）である。
【数１】
2014132754.tif 000003
【００４３】
図６は、本発明の実施形態に従うＤＬサブフレームに亘ってＰＤＣＣＨとＰＤＳＣＨに対する転送を多重化することを図示している。図６に図示された実施形態は単に例示のためのものに過ぎない。本発明の範囲を逸脱することなく、他の実施形態が使われることもできる。
【００４４】
【数２】
2014132754.tif 000004
ＰＤＣＣＨ転送は、４個のＰＲＢ ６２０、６３０、６４０、６５０で起こることができる一方、残りのＰＲＢ ６６０、６６２、６６４、６６６、６６８は、ＰＤＳＣＨ転送に使われることができる。ＰＤＣＣＨ転送は、ＰＲＢで利用可能なＲＥの数より少ない数のＲＥを要することができるため、同一なＰＲＢに多数のＰＤＣＣＨが多重化できる。
【００４５】
相異するＣＣＥ（Control Channel Element）を使用してＰＤＣＣＨを多重化する。ＣＣＥは、ＰＤＣＣＨ資源単位を定義し、多数のＲＥＧ（Resource Element Group）を含む。各々のＲＥＧは多数の要素を含む。ＲＥＧの要素はインターリービングされてから周波数優先方式（frequency-first manner）によりＰＲＢの各々のＲＥにマッピングできる。
【００４６】
図７は、本発明の実施形態に従うＲＥＧをＰＲＢのＲＥにマッピングすることを図示している。図７に図示された実施形態は単に例示のためのものに過ぎない。本発明の範囲を逸脱することなく、他の実施形態が使われることもできる。
【００４７】
１６個のＲＥＧ ７１０があり、各々のＲＥＧは９個の要素７２０を含む。ＲＥＧの要素はインターリービングされ、ＰＲＢ７３０のＲＥにマッピングされる。ＰＲＢは、ＵＥが各々のチャンネル推定値を獲得して各々のＰＤＣＣＨにより伝達された制御情報を復調するようにするための基準信号（ＲＳ）７４０を転送することに使われるＲＥをさらに含む。そのようなＲＳをＤＭＲＳ（Demodualtion RS）という。ＮｏｄｅＢ １０２の４個の各々のアンテナポート（ＡＰ）から転送される４個までのＤＭＲＳがありうる。同一な周波数位置と連続したＯＦＤＭシンボルに位置する２つのＤＭＲＳ ＲＥ ７４２、７４４は｛１，１｝と｛１，−１｝のＯＣＣ（Orthogonal Covering Code）を適用して多重化される。したがって、ＲＥ７４２で、ＮｏｄｅＢ １０２の第１のＡＰは｛１，１｝ＯＣＣを適用して第１のＤＭＲＳを転送し、ＮｏｄｅＢ １０２の第２のＡＰは｛１，−１｝ＯＣＣを適用して第２のＤＭＲＳを転送する。ＵＥ １１６の受信機は、各々のＲＥで各々のＯＣＣを除去してＤＭＲＳ ＡＰからチャンネル推定値を獲得することができる。ＣＣＥは、例えば４個のＲＥＧ毎に１つずつのような４個のＲＥＧを含むことができ、ＰＲＢは４個のＣＣＥを含む。
【００４８】
ＵＥ １１６は、ＮｏｄｅＢ １０２によりＲＲＣ（Radio Resource Control）シグナリングのような上位階層シグナリング（higher layer signaling）を通じて多数のセットのＰＲＢに対してＰＤＣＣＨ転送があるように構成できる。例えば、ＵＥ １１６は第１セットの８個のＰＲＢと第２セットの４個のＰＲＢのＰＤＣＣＨ転送があるように構成できる。ＵＥ １１６へのＰＤＣＣＨ転送は単一のＰＲＢで起こることができるが、その場合、それを集中型（localized）といい、ＵＥ １１６が経るチャンネルに対する正確な情報をＮｏｄｅＢ １０２が有してあれば、ＦＤＳ（Frequency Domain Scheduling）またはビームフォーミング（beam-forming）が使われることができる。代案的に、ＰＤＣＣＨ転送は多数のＰＲＢで起きることができるが、その場合、それを分散型（distributed）という。
【００４９】
ＵＥへのＰＤＣＣＨ転送が他のＵＥへのＰＤＣＣＨ転送を遮らないようにするために、ＰＲＢセットでの各々のＰＤＣＣＨの位置はそれのみに固有なものではない。したがって、ＵＥ １１６はＤＬサブフレームで、もしＰＤＣＣＨを検出するために各々の構成されたＰＲＢセットの内で多数回のデコーディング動作を遂行する。図４の与えられた数のＤＣＩフォーマットビットにおいて、各々のＰＤＣＣＨに対するＣＣＥの数はチャンネルコーディング率（channel coding rate）（ＯＰＳＫ（Quadarature Phase Shift Keying）を変調方式と仮定する）に依存して変わる。ＮｏｄｅＢ １０２は、ＵＥ １１６が高いＤＬ ＳＩＮＲ（Signal-to-Interference and Noise Ratio）を経る場合に比べて低いＤＬ ＳＩＮＲを経ながらＵＥ １１６にＰＤＣＣＨを転送するために、より低いチャンネルコーディング率（即ち、より多いＣＣＥ）を使用することができる。
【００５０】
ＰＤＣＣＨデコーディング過程において、ＵＥ １１６はＤＬサブフレーム番号またはＤＬサブフレームでのＣＣＥの総数のようなＵＥ共通（UE-common）パラメータ及びＲＮＴＩのようなＵＥ特定（UE-specific）パラメータを入力として有する関数に従って候補ＰＤＣＣＨを決定することができる。例えば、ＰＤＣＣＨ候補ｍに対応するＣＣＥは、次の＜数式３＞のように得られることができる。
【００５１】
【数３】
2014132754.tif 000005
【００５２】
ＰＤＣＣＨ候補に対するＣＣＥを決定する以外に、集中型（localized）ＰＤＣＣＨ転送においては、ＵＥ １１６が各々のＰＤＣＣＨ候補と関連したＤＭＲＳ ＡＰをまた決定することが必要である。相異するＵＥに対するＰＤＣＣＨを同一なセットのＣＣＥに空間多重化することを可能にするためには、相異するＤＭＲＳ ＡＰが各々のそのようなＰＤＣＣＨ転送と関連することが必要である。それは、ＵＥ １１６のＲＮＴＩの関数としてＤＭＲＳ ＡＰを導出することにより達成される。また、ＲＮＴＩの数がＤＭＲＳ ＡＰの数より遥かに大きいことがあるので、ＤＭＲＳ ＡＰは空間多重化の融通性をより増加させるために付加的にＰＤＣＣＨに対する初期ＣＣＥの関数として決定できる。例えば、
【００５３】
【数４】
2014132754.tif 000006
（ここで、ＵはＤＭＲＳ ＡＰの総数である）は＜数式５＞のように決定できる。
【００５４】
【数５】
2014132754.tif 000007
【００５５】
【数６】
2014132754.tif 000008
【００５６】
小さい帯域幅（ＢＷ）を有する搬送波の利用度を改善するか、または相異する搬送波周波数に亘る通信を容易にするために、通信システムは複数の搬送波の集合を含むことができる。それを搬送波集成（ＣＡ）という。例えば、１つの搬送波が１０MhzのＢＷを有することができる一方、他の搬送波が１．４MhzのＤＬ ＢＷを有することができるか、１つの搬送波が９００Mhzの周波数で動作することができる一方、他の搬送波が２．６Ghzの周波数で動作することができる。その場合、ＰＤＣＣＨのスペクトル効率が典型的に小さいＤＬ ＢＷで低いため、１．４MhzのＤＬ ＢＷを有する搬送波でのＰＤＳＣＨを１０MhzのＤＬ ＢＷを有する搬送波からスケジューリングすることが好ましいことがある。また、経路損失の高い搬送波周波数に対し、より大きくて、ＰＤＣＣＨが典型的にＰＤＳＣＨより高い検出信頼性を要し、再転送から利得を得ることができないので、２．６Ghz搬送波でのＰＤＳＣＨを９００Mhz搬送波からスケジューリングすることが好ましいことがある。１つの搬送波からのＰＤＳＣＨ（または、ＰＵＳＣＨ）転送を他の搬送波でスケジューリングすることをクロスキャリアスケジューリング（cross-carrier scheduling）という。
【００５７】
ＮｏｄｅＢ １０２がＵＥ １１６に対するクロスキャリアスケジューリングを構成する場合、各々のＤＣＩフォーマットは各々の搬送波に対応する値を有するＣＩＦ（Carrier Indicator Field）を含む。例えば、３ビットからなるＣＩＦと５個の搬送波から構成されたＵＥに対し、各々の２進ＣＩＦ値は０、１、２、３、及び４の各々の数値
【数７】
2014132754.tif 000009
に該当する“０００”、“００１”、“０１０”、“０１１”、及び“１００”でありうる。クロスキャリアスケジューリングの場合に搬送波に対するＰＤＣＣＨ候補を決定する方法は、＜数式３＞でのｍを
【数８】
2014132754.tif 000010
に取り替えるものである。しかしながら、＜数式３＞の場合、モジュロ演算により、それは第１搬送波に指定されたＰＤＣＣＨ候補に対するＣＣＥが第２搬送波に指定されたＰＤＣＣＨ候補に対するＣＣＥと重畳する結果をもたらす。
【００５８】
クロスキャリアスケジューリングのあるＰＤＣＣＨ転送とクロスキャリアスケジューリングのないＰＤＣＣＨ転送に同一なＰＲＢセットが使われれば、前者の場合にＰＤＣＣＨ転送が重畳する可能性が増加するようになるが、なぜならば、同一な数のＣＣＥに亘ってより多い数のＰＤＣＣＨの収容を必要とするためである。特に、大きいＣＣＥ集成レベルに対してそのような衝突の影響を緩和するために、ＮｏｄｅＢ １０２は各々のＰＤＣＣＨ転送に空間多重化を適用することができる。
【００５９】
本発明の特定の実施形態は、クロスキャリアスケジューリングをサポートするために候補ＰＤＣＣＨを定義する。本発明の特定の実施形態は、相異するＰＲＢセットでの同一なＵＥに対する第１のＰＤＣＣＨ候補に対して相異する初期ＣＣＥを定義する。本発明の特定の実施形態は、クロスキャリアスケジューリングをサポートするために、同一なＵＥに対するＰＤＣＣＨの空間多重化を使用する。
【００６０】
本発明の特定の実施形態は、（Ｃ＞１）個の活性搬送波（active carrier）でクロスキャリアスケジューリングを遂行するために同一なＰＤＣＣＨ ＰＲＢを搬送波に使用する場合に相異する搬送波と関連したＰＤＣＣＨ候補をＵＥ １１６が決定することを考慮する。（Ｃ＞１）個の活性搬送波から構成されたＵＥ １１６は＜数式９＞のように（Ｃ＞１）個の活性搬送波をサポートするように修正された＜数式３＞と同一な疑似ランダム関数に従って候補ＰＤＣＣＨに対する検索空間（search space）を決定することができる。
【００６１】
ＲＲＢセットｐでのＰＤＣＣＨ候補ｍに対するＣＣＥ：
【数９】
2014132754.tif 000011
【００６２】
ＣＣＥの集成レベルＬに対し、ＰＤＣＣＨの総数
【数１０】
2014132754.tif 000012
に対して考慮されたものであるという点を除いては、＜数式９＞のパラメータは＜数式９＞で定義された通りである。
【００６３】
例えば、ＰＲＢセットｐでの集成レベルＬのＣＣＥに対するＰＤＣＣＨ候補の数が各々のＤＬ ＳＡまたはＵＬ ＳＡに指定された搬送波に依存して変わる理由は、相異する搬送波が相異する帯域幅を有することができ、与えられたＤＣＩフォーマットに対し、ＰＲＢセットｐでのＣＣＥ集成レベルＬに対するＰＤＣＣＨ候補の数がＤＣＩフォーマットのサイズに依存して変わることができるが、そのＤＣＩフォーマットがまた各々の搬送波帯域幅に依存して変わることができるためである。例えば、２０Mhz搬送波でのＰＤＣＣＨ転送が２０Mhz搬送波での、または１．４Mhz搬送波でのＰＤＳＣＨ受信をスケジューリングすれば、ＣＣＥ集成レベルＬ＝２に対し、そのＰＤＣＣＨ転送は２０Mhz搬送波でのＰＤＳＣＨ受信をスケジューリングするための４個の候補、及び１．４Mhz搬送波でのＰＤＳＣＨ受信をスケジューリングするための２つの候補を有することができる。したがって、＜数式９＞で、ｍもやはり特定の搬送波に依存して変わる。
【００６４】
＜数式９＞は、同一なＣＣＥ集成レベルにおいて、ＰＤＣＣＨ候補の数が相異する搬送波に対して相異することができる一般的な場合を表している。そうでなくて、同一なＣＣＥ集成レベルにおいて、相異する搬送波に対して同一な数のＰＤＣＣＨ候補が存在すれば、
【数１１】
2014132754.tif 000013
＜数式９＞は＜数式１２＞のように単純化できる。
【００６５】
ＰＲＢセットｐでのＰＤＣＣＨ候補ｍに対するＣＣＥ：
【数１２】
2014132754.tif 000014
【００６６】
（Ｃ＞１）個の活性搬送波を含む統合検索空間（unified search space）を定義する以外に、Ｃ個の活性搬送波の各々に対するＰＤＣＣＨ候補を定義することが必要である。集中型ＰＤＣＣＨでは、ＮｏｄｅＢがＰＤＣＣＨ転送に対してＦＤＳまたはビームフォーミングを遂行する機会を最大化するためにＰＤＣＣＨ候補がセット内のできる限り多いＰＲＢに分散されることが好ましい。クロスキャリアスケジューリングの場合に、そのような特性を維持するために、全てのＣＣＥ集成レベルにおいて、統合検索空間でＰＤＣＣＨ候補をＣ個の活性搬送波の各々に分散することは、毎Ｃ番目のＰＤＣＣＨ候補を各々の活性搬送波に搬送波インデックス（carrier index）の順に割り当てるパターンに従うことが必要である。例えば、（Ｃ＝２）個の活性搬送波及び＜数式１２＞のように決定されたＰＤＣＣＨ候補に対し、
【数１３】
2014132754.tif 000015
【００６７】
上記割当パターンの必要性をさらに例示するために、８個のＰＲＢを有するＰＤＣＣＨ ＰＲＢセット及び
【数１４】
2014132754.tif 000016
集中型ＰＤＣＣＨ転送では、連続する各々のＰＤＣＣＨ候補へのＣＣＥの割当が｛（０，１）、（２，３）、（４，５）、（６，７）、（８，９）、（１０，１１）、（１２，１３）、（１６，１７）、（１８，１９）、（２０，２１）、（２４，２５）、（２６，２７）、（２８，２９）｝となり、各々のＰＲＢが｛０，０，１，２，２，３，４，４，５，６，６，７｝となる。初めの６個のＰＤＣＣＨ候補が第１搬送波に割り当てられ、後の６個のＰＤＣＣＨ候補が第２搬送波に割り当てられれば、ＰＲＢ｛４，５，６，７｝が第１搬送波に対して如何なるＰＤＣＣＨ候補も有しなく、ＰＲＢ｛０，１，２，３｝が第２搬送波に対して如何なるＰＤＣＣＨ候補も有しない一方、一部のＰＲＢが同一な搬送波に対して多数の（２つ）ＰＤＣＣＨ候補を有する結果となる。すると、それは各々のＰＤＣＣＨ候補を有するＰＲＢが各々限定されることにより集中型ＰＤＣＣＨ転送に対するＦＤＳ及びビームフォーミング機会を不要に制限するようになる。逆に、ＰＤＣＣＨ候補を（Ｃ＝２）個の活性搬送波に交互に割り当てることによって、第１搬送波に対するＰＤＣＣＨ候補がＰＲＢ｛０，１，２，４，５，６｝に存在し、第２搬送波に対するＰＤＣＣＨ候補がＰＲＢ｛０，２，３，４，６，７｝に存在するようになる。したがって、各々の搬送波に対する全てのＰＤＣＣＨ候補が相異するＰＲＢに割り当てられる。
【００６８】
図８は、本発明の実施形態に従う各々の転送が同一なセットのＰＲＢにある場合に、ＰＤＣＣＨ候補を相異する活性搬送波に割り当てることを図示している。図８に図示された実施形態は単に例示のためのものに過ぎない。本発明の範囲を逸脱することなく、他の実施形態が使われることもできる。
【００６９】
【数１５】
2014132754.tif 000017
【００７０】
＜数式９＞または＜数式１２＞により得られたＰＤＣＣＨ候補を各々の搬送波に交互に関連させる前の例がたとえＣＣＥ集成レベルに対する各々の同一な数のＰＤＣＣＨ候補を考慮したが、それはＣＣＥ集成レベルに対する相異する数のＰＤＣＣＨ候補にもまた適用される。例えば、ＣＣＥ集成レベルＬ＝２に対し、第１搬送波に対する
【数１６】
2014132754.tif 000018
｛（０，１）、（２，３）、（６，７）、（８，９）、（１２，１３）、（１６，１７）、（１８，１９）、（２３，２３）、（２４，２５）、（２８，２９）｝となり、各々のＰＲＢが（０，０，１，２，３，４，４，５，６，７）となる。すると、第１搬送波に対するＰＤＣＣＨ候補としてのＰＲＢが｛０，１，３，４，６，７｝となり、第２搬送波に対するＰＤＣＣＨ候補としてのＰＲＢが｛０，２，４，５｝となる。
【００７１】
＜数式９＞及び前述したように連続する候補を相異する搬送波に交互に割り当てることを考慮すれば、ＰＤＣＣＨ候補の上記の区分は＜数式１７＞のように表現できる。
【００７２】
【数１７】
2014132754.tif 000019
【００７３】
【数１８】
2014132754.tif 000020
【００７４】
＜数式９＞に対するより簡単で、かつ少なめに最適な修正は＜数式１９＞の通りである。
【００７５】
【数１９】
2014132754.tif 000021
【００７６】
＜数式１２＞を考慮すれば、＜数式１７＞は＜数式２０＞のように単純化できる。
【００７７】
【数２０】
2014132754.tif 000022
【００７８】
相異するＰＤＣＣＨ候補の間に各々のＣＣＥの重畳のない場合にＰＤＣＣＨ候補を相異する搬送波に決定論的に割り当てること（deterministic assignment）の結果は、ＰＤＣＣＨ候補の位置に基づいてＵＥ １１６が搬送波に対応するＰＤＣＣＨ候補を決定することができるので、各々のＤＣＩフォーマットでのＣＩＦフィールドが必要でないということである。しかしながら、相異する搬送波に対するＰＤＣＣＨ候補が同一なＣＣＥを共有する場合
【数２１】
2014132754.tif 000023
ＣＩＦフィールドに対して予め定まった値を使用することによって、ＣＩＦフィールドが仮想ＣＲＣとしての役割をし、ＵＥ １１６がＵＥ １１５のような他のＵＥに指定されたＤＣＩフォーマットを前者のＵＥ（即ち、ＵＥ １１６）に指定されたものと考える可能性を減少させることができる。
【００７９】
（Ｃ＞１）個の活性搬送波と関連したＰＤＣＣＨ候補をＵＥ １１６が決定することは、各々の活性搬送波でクロスキャリアスケジューリングを遂行するために搬送波で相異するＰＤＣＣＨ ＰＲＢセットが使われる場合にもまた必要である。例えば、第１搬送波でクロスキャリアスケジューリング及び２つのＰＤＣＣＨ ＰＲＢセットから構成されたＵＥ １１６は、上位階層シグナリングにより、または標準（specification）により第１のＰＤＣＣＨセットを第１搬送波と関連させ、第２のＰＤＣＣＨセットを第２搬送波と関連させることの指示を受けることができる。相異するＰＤＣＣＨ ＰＲＢセットは相異するサイズを有することができるが、なぜならば、例えばＣ個の活性搬送波が相異する帯域幅を有するか、またはサブフレーム毎に相異する数のＵＥに対するスケジューリングをサポートすることができるためである。各々の搬送波に対応するＰＤＣＣＨ候補は、ＰＤＣＣＨ ＰＲＢセットインデックスが搬送波インデックスと直接的に関連している＜数式３＞により説明された通り、各々のＰＤＣＣＨセットに対して決定できる。相異する搬送波は与えられたＤＣＩフォーマットに対するＣＣＥ集成レベル毎に相異する数のＰＤＣＣＨ候補を有することができるため、ＰＤＣＣＨ候補ｍに対応するＣＣＥは＜数式２２＞のように得られることができる。
【００８０】
【数２２】
2014132754.tif 000024
【００８１】
ここで、
【数２３】
2014132754.tif 000025
は搬送波ｃに対するＰＲＢセットｐでのＣＣＥ集成レベルＬに対するＰＤＣＣＨ候補の数であり、残りの表示記号は＜数式３＞に対するものと同一である。
【００８２】
ＰＤＣＣＨセットが重畳するＰＲＢ対を有しなければ、ＣＩＦフィールドが各々のＤＣＩフォーマットに含まれる必要がないか、または前述したようにＣＩＦフィールドの値が０のような予め定まった値に設定できる。例えば、同一なＵＥに対する他のＰＤＣＣＨ ＰＲＢセットで共通していないＰＤＣＣＨ ＰＲＢセットのＰＲＢに集中されたＰＤＣＣＨ候補に対し、ＣＩＦフィールドは０の値に設定できる。
【００８３】
図９は、本発明の実施形態に従う各々の転送が相異するＰＤＣＣＨセットにある場合に、ＰＤＣＣＨ候補を相異する活性搬送波に割り当てることを図示している。図９に図示された実施形態は単に例示のためのものに過ぎない。本発明の範囲を逸脱することなく、他の実施形態が使われることもできる。
【００８４】
【数２４】
2014132754.tif 000026
【００８５】
本発明の特定の実施形態は、相異する搬送波でのスケジューリングに対して同一なＮｏｄｅＢからのＰＤＣＣＨ転送の空間多重化をサポートすることができる。
【００８６】
【数２５】
2014132754.tif 000027
【００８７】
集中型ＰＤＣＣＨでは、ＮｏｄｅＢが各々のＰＤＣＣＨ転送に直交ビームフォーミング（orthogonal beamforming）を適用することによって、ＰＤＣＣＨと対応するＣＣＥの間の衝突を解消することができる。それは簡単な動作であり、同一なＮｏｄｅＢから同一なＵＥにＰＤＣＣＨ転送があるため、ＵＥからの如何なるフィードバックにも依存しない。同一なＵＥへの重畳するＰＤＣＣＨ転送が直交ビームフォーミングを有する必要があるものであるので、少なくとも一部のＰＤＣＣＨ転送に対しては、または若しかしたら全てのＰＤＣＣＨ転送に対して、各々の最適のビームフォーミングが使われるものではない。しかしながら、それはネットワーク具現の問題であることがあり、他の手段により、例えば特にその反対給付（trade off）がスペクトル効率の増加（例えば、２倍だけ）の場合には、多少増加した送信電力を使用して調整できる。また、ＣＳＩ測定や量子化不正確性により、またはＰＤＣＣＨ転送のＰＲＢが最適のビームフォーミングを適用することができるＰＲＢでないことがあるので、ＰＤＣＣＨ転送に対する完壁なビームフォーミングが常に可能であるものではない。
【００８８】
相異する要素搬送波（component carrier）でのスケジューリングのためにＰＤＣＣＨ転送を同一なＰＲＢに空間多重化することを可能にするためには、各々のＰＤＣＣＨ転送に対して相異するＤＭＲＳ ＡＰを関連させることが必要である。
【数２６】
2014132754.tif 000028
【００８９】
【数２７】
2014132754.tif 000029
【００９０】
【数２８】
2014132754.tif 000030
【００９１】
図１０は、本発明の実施形態に従うＤＭＲＳ ＡＰを第１搬送波に対するスケジューリング割当を提供する第１のＰＤＣＣＨ転送及び第２搬送波に対するスケジューリング割当を提供する第２のＰＤＣＣＨ転送に割り当てることを図示している。図１０に図示された実施形態は単に例示のためのものに過ぎない。本発明の範囲を逸脱することなく、他の実施形態が使われることもできる。
【００９２】
【数２９】
2014132754.tif 000031
【００９３】
【数３０】
2014132754.tif 000032
【００９４】
【数３１】
2014132754.tif 000033
【００９５】
【数３２】
2014132754.tif 000034
【００９６】
【数３３】
2014132754.tif 000035
【００９７】
【数３４】
2014132754.tif 000036
【００９８】
【数３５】
2014132754.tif 000037
【００９９】
【数３６】
2014132754.tif 000038
【０１００】
本発明を例示的な実施形態により説明したが、当該技術分野の当業者には多様な変更と修正が提案できる。本発明は添付した特許請求範囲に属するそのような変更及び修正を包括しようとする。
【符号の説明】
【０１０１】
３０５    アンテナ
３１０    ＲＦ送受信機
３１５    ＴＸ処理回路
３２０    マイクロフォン
３２５    ＲＸ処理回路
３３０    スピーカー
３４０    メインプロセッサ
３４５    Ｉ／Ｏインターフェース
３５０    キーパッド
３５５    ディスプレイ
３６０    メモリ
３６１    基本ＯＳプログラム
３６２    アプリケーション
【図１】
2014132754.tif 000079
【図２Ａ】
2014132754.tif 000080
【図２Ｂ】
2014132754.tif 000081
【図３】
2014132754.tif 000082
【図４】
2014132754.tif 000083
【図５】
2014132754.tif 000084
【図６】
2014132754.tif 000085
【図７】
2014132754.tif 000086
【図８】
2014132754.tif 000087
【図９】
2014132754.tif 000088
【図１０】
2014132754.tif 000089